(57)【要約】【課題】光源を含むパネルユニットの垂れを抑止するのに有利な照明器具を提供する。【解決手段】照明器具１０は、天井１００に固定される筐体１２と、筐体１２に保持される光源２０と、筐体１２の延設方向の中間部に設けられ、第１貫通孔３２ａを有する第１取り付け金具３０と、光源２０の背部に設けられ、第２貫通孔４２ａを有する第２取り付け金具４０と、第１貫通孔３２ａと係合し、かつ、第２貫通孔４２ａを通過するボルト５０とを備え、第２取り付け金具４０は、ボルト５０の先端部５０ａと当接し、ボルト５０の進行により受ける力を、第２取り付け金具４０を筐体１２に向かう方向に移動させる力に変換する板部４６を有する。【選択図】図２
2019016532.tif 000002
【特許請求の範囲】
【請求項１】
天井に固定される筐体と、
前記筐体に保持される光源と、
前記筐体の延設方向の中間部に設けられ、第１貫通孔を有する第１取り付け金具と、
前記光源の背部に設けられ、第２貫通孔を有する第２取り付け金具と、
前記第１貫通孔と係合し、かつ、前記第２貫通孔を通過するボルトと、
を備え、
前記第２取り付け金具は、前記ボルトと当接し、前記ボルトの進行により受ける力を、前記第２取り付け金具を前記筐体に向かう方向に移動させる力に変換する板部を有する、
照明器具。
【請求項２】
前記ボルトは、前記第１貫通孔と前記第２貫通孔との間に位置する部分に、ボルト抜け止めを有する請求項１に記載の照明器具。
【発明の詳細な説明】
【技術分野】
【０００１】
本開示は、照明器具に関する。
【背景技術】
【０００２】
従来、駅のホームや店舗又はビルディング等の天井に取り付けられる照明器具がある。
【０００３】
特許文献１は、吊りボルトを介して天井に取り付けられる筐体を備える照明器具を開示している。特に、筐体は、光源ユニットを実装する実装部を支持する。また、筐体又は実装部は、外観を構成する透光パネルを支持する。
【先行技術文献】
【特許文献】
【０００４】
【特許文献１】特開２０１３−２０１０２０号公報
【発明の概要】
【発明が解決しようとする課題】
【０００５】
特許文献１に開示されているような照明器具では、実装部における光源ユニット設置面又は透光パネルの形状が大きくなると、実装部又は透光パネルを含むパネルユニットの中間部が自重により垂れる場合がある。例えば、駅のホームでは、従来、蛍光灯を直列状に２本配置するライン形の照明器具が用いられていた。ここで、これに合わせた全長を有するライン型の照明器具に、特許文献１に開示されているようなＬＥＤ（発光ダイオード）を実装した光源ユニットが採用される場合を考える。この場合、パネルユニットが照明器具の延設方向の両先端部で支持されるものとすると、パネルユニットには、中間部で最大となるような垂れが生じるおそれがある。
【０００６】
本開示は、このような従来技術の有する課題に鑑みてなされたものである。そして、本開示の目的は、光源を含むパネルユニットの垂れを抑止するのに有利な照明器具を提供することにある。
【課題を解決するための手段】
【０００７】
上記課題を解決するために、本開示の態様に係る照明器具は、天井に固定される筐体と、筐体に保持される光源と、筐体の延設方向の中間部に設けられ、第１貫通孔を有する第１取り付け金具と、光源の背部に設けられ、第２貫通孔を有する第２取り付け金具と、第１貫通孔と係合し、かつ、第２貫通孔を通過するボルトと、を備え、第２取り付け金具は、ボルトと当接し、ボルトの進行により受ける力を、第２取り付け金具を筐体に向かう方向に移動させる力に変換する板部を有する。
【発明の効果】
【０００８】
本開示によれば、光源を含むパネルユニットの垂れを抑止するのに有利な照明器具を提供することができる。
【図面の簡単な説明】
【０００９】
【図１】本開示の一実施形態に係る照明器具を示す図である。
【図２】図１（ａ）中のＩＩ−ＩＩ断面を示す図である。
【図３】第１取り付け金具の形状を示す図である。
【図４】第２取り付け金具の形状を示す図である。
【図５】図２に示す状態に至る前の初期状態を示す図である。
【図６】図２に示す状態に至る前の調整状態を示す図である。
【発明を実施するための形態】
【００１０】
以下、本実施形態について図面を参照しつつ詳細に説明する。以下の説明では、照明器具が天井に取り付けられた状態で、鉛直方向をＺ方向と規定し、Ｚ方向に垂直となる平面内に、互いに垂直となるＸ方向及びＹ方向を規定する。
【００１１】
まず、本実施形態に係る照明器具の構成について説明する。図１は、本実施形態に係る照明器具１０を示す外観図である。特に、図１（ａ）は、天井１００に取り付けられた状態にある照明器具１０の側面図である。図１（ｂ）は、透光パネル側から見た照明器具１０の正面図である。また、図２は、図１（ａ）中のＩＩ−ＩＩ断面を示す図である。
【００１２】
照明器具１０は、天井取り付け型であり、本実施形態ではＸ方向を延設方向とするライン形の照明器具である。照明器具１０は、例えば、駅ホームの天井に取り付けられるホーム照明として採用され得る。ここで、天井とは、天井そのもののみならず、例えば、駅ホームの天井面から予め吊設され、照明器具１０を吊り下げて固定するための吊り下げ部材等も含む。
【００１３】
照明器具１０は、筐体１２と、パネルユニット１４と、パネル取り付けユニットとを備える。
【００１４】
筐体１２は、パネルユニット１４を支持し、パネル取り付けユニットを内部に含む。筐体１２の形状は、パネルユニット１４の一部を収容可能とする１つの面を開放面とし、Ｘ方向を延伸方向とした直方体状である。筐体１２の材質は、例えば、衝撃に強く、錆難いステンレス材とし得る。
【００１５】
筐体１２は、天板部１２ａと、第１側板部１２ｂと、第２側板部１２ｃと、第３側板部１２ｄと、第４側板部１２ｅとを有する。天板部１２ａは、Ｘ方向を長手方向とする矩形板状であり、照明器具１０の取り付けの際には、天井１００に対向する。第１側板部１２ｂと第２側板部１２ｃとは、それぞれ、Ｘ方向を長手方向とする矩形板状であり、一辺が天板部１２ａのいずれかの長辺に連接され、Ｙ方向で互いに対向する。第３側板部１２ｄと第４側板部１２ｅとは、一辺が天板部１２ａのいずれかの短辺に連接され、Ｘ方向で互いに対向する。したがって、照明器具１０が天井１００に取り付けられている状態では、第２側板部１２ｃから第４側板部１２ｅまでの４つ側板部は、すべて、天板部１２ａから垂設されている形となる。
【００１６】
パネルユニット１４は、光源ユニットと透光パネルとを一体とし、筐体１２に対して取り外し可能なユニットである。まず、パネルユニット１４は、光源ユニットとして、光源２０と、実装部２２とを含む。光源２０は、例えばＬＥＤ等の発光素子である。実装部２２は、複数の光源２０を所定の間隔でＸ方向に一列に配置する基板である。
【００１７】
また、パネルユニット１４は、実装部２２を保持し、また、後述する透光パネルの取り付け枠となる保持部２４を含む。保持部２４の形状は、概略的にはＸ方向を長手方向とする矩形板状であり、筐体１２に取り付けられたときに、筐体１２の開放面を塞ぐ形状を有する。保持部２４の材質は、例えば、筐体１２と同様にステンレス材とし得る。
【００１８】
なお、光源２０がＬＥＤである場合、筐体１２内には、不図示であるが、交流電流を直流電流に変換して光源２０に電力を供給する電源ユニットを含み得る。この場合、電源ユニットは、保持部２４に固定されていてもよいし、筐体１２の例えば天板部１２ａに固定されていてもよい。
【００１９】
さらに、パネルユニット１４は、照明器具１０の光射出面となる透光パネルとして、第１パネル２６と、第２パネル２８とを含む。第１パネル２６及び第２パネル２８は、それぞれ、アクリル材等で形成される透光性の曲板部材である。特に、第１パネル２６及び第２パネル２８は、例えば乳白色のアクリル材で形成されることで、光源２０から照射された光を拡散する拡散板としての機能を有する。第１パネル２６は、透光パネルのうち、外観を構成するパネルである。第２パネル２８は、第１パネル２６よりも筐体１２側に位置し、例えば、実装部２２を保持部２４に対して固定する機能を有する。また、第１パネル２６及び第２パネル２８は、外部に対して光源ユニットを覆うように保持部２４に支持されることで、光源ユニットを保護する機能を有する。
【００２０】
そして、パネルユニット１４は、例えば、図１（ｂ）に示すように、Ｘ方向の両端部で筐体１２に対して支持される。具体的には、照明器具１０は、さらに、第１止め金具１６と、第２止め金具１８とを備える。第１止め金具１６は、パネルユニット１４のＸ方向プラス側の端部を支持し、筐体１２の第３側板部１２ｄに固定される。一方、第２止め金具１８は、パネルユニット１４のＸ方向マイナス側の端部を支持し、筐体１２の第４側板部１２ｅに固定される。
【００２１】
パネル取り付けユニットは、パネルユニット１４の延設方向の中間部Ｃに相当する位置に設置され、筐体１２に対するパネルユニット１４の位置を調整するためのユニットである。パネル取り付けユニットは、第１取り付け金具３０と、第２取り付け金具４０と、ボルト５０とを含む。なお、本実施形態において、パネルユニット１４の延設方向の中間部Ｃとは、筐体１２の延設方向の中間部と同義である。
【００２２】
図３は、第１取り付け金具３０の形状を示す斜視図である。第１取り付け金具３０は、第１貫通孔３２ａが形成されている第１板部３２と、第２板部３４とを有する。第１板部３２と第２板部３４とは、互いの主平面が垂直となるように連接されている。第１貫通孔３２ａは、ボルト５０が係合するネジ穴である。
【００２３】
図４は、第２取り付け金具４０の形状を示す斜視図である。第２取り付け金具４０は、第２貫通孔４２ａが形成されている第１板部４２と、第２板部４４と、第３板部４６とを有する。第１板部４２と第２板部４４とは、互いの主平面が垂直となるように連接されている。第２貫通孔４２ａは、ボルト５０を非接触で通過させることが可能な、Ｚ方向に長い長穴である。
【００２４】
また、第３板部４６は、ボルト５０の進行により受ける力を、第２取り付け金具４０を筐体１２に向かう方向に移動させる力に変換する板部である。具体的には、第３板部４６の一部は、第１板部４２の主平面に連接されている。第３板部４６が第１板部４２に連接される位置は、Ｚ方向に関して、第２板部４４が連接されている位置に対して第２貫通孔４２ａを挟んで反対側の領域である。また、第３板部４６は、第１板部４２の主平面に対する角度θが、０°＜θ＜９０°となる傾斜面４６ａを有する。傾斜面４６ａは、第３板部４６が連接されている側とは反対側から第２貫通孔４２ａを通過しているボルト５０の先端部５０ａを当接可能とする当接面となる。
【００２５】
ここで、第１取り付け金具３０、第２取り付け金具４０及びボルト５０の各設置位置について、図２を用いて説明する。まず、第２取り付け金具４０は、以下の条件を満たすように保持部２４側に固定される。なお、第２取り付け金具４０の固定の際に保持部２４に接触するのは第２板部４４であり、接触位置は、光源２０の背部となる。第１に、第２取り付け金具４０は、第１板部４２が保持部２４から鉛直方向に沿って立設する。第２に、第２貫通孔４２ａの貫通方向は、Ｙ方向、具体的には、ＸＹ平面内において、照明器具１０の延設方向であるＸ方向とは垂直方向となる照明器具１０の両側面を貫く方向に沿った方向である。第３に、第１板部４２の位置は、Ｙ方向の中間、すなわち、第１側板部１２ｂと第２側板部１２ｃとの間の中間となることが望ましい。
【００２６】
一方、第１取り付け金具３０は、以下の条件を満たすように筐体１２側に固定される。第１に、本実施形態では、一例として、第１取り付け金具３０が図３に示すような形状を有するものとしているので、第１取り付け金具３０は、具体的には、筐体１２の天板部１２ａの内面側に固定される。そして、第１取り付け金具３０の固定の際に天板部１２ａに接触するのは第２板部３４である。第２に、第１貫通孔３２ａの貫通方向は、第２取り付け金具４０の第２貫通孔４２ａの貫通方向と合う。第３に、第１板部３２の位置は、Ｙ方向に関して、第１側板部１２ｂと、第２取り付け金具４０の第１板部４２との間に位置する。
【００２７】
また、筐体１２の第１側板部１２ｂには、ボルト５０を通過させる貫通孔１２ｆが形成されている。貫通孔１２ｆの貫通位置は、Ｘ方向及びＺ方向に関して、第１取り付け金具３０の第１貫通孔３２ａの貫通位置と一致する。
【００２８】
ボルト５０は、第１取り付け金具３０の第１貫通孔３２ａに回転可能に係合している。この状態で、ボルト５０の根元側は、第１側板部１２ｂの貫通孔１２ｆを通過しており、ボルト５０の頭部は、外部に露出している。一方、ボルト５０の先端側は、第２取り付け金具４０の第２貫通孔４２ａを通過しており、ボルト５０の先端部５０ａは、第３板部４６の傾斜面４６ａに当接している。
【００２９】
なお、パネル取り付けユニットの具体的な作用については、後述する。
【００３０】
さらに、照明器具１０は、天井１００への取り付け用部品として、それぞれ複数の弾性体６４とネジ６６とを備える。なお、本実施形態では、一例として、図１（ａ）に示すように、弾性体６４とネジ６６とが３つずつ用いられているものとする。弾性体６４は、不図示であるが、ネジ６６を通過可能とする貫通孔を有し、天板部１２ａの外面と天井１００との間に挿入される。作業者は、筐体１２の内側から、ネジ６６を、天板部１２ａに形成されている不図示の貫通孔と弾性体６４の貫通孔とを通過させて締め付けることで、筐体１２を天井１００に取り付けることができる。なお、ネジ６６の締め付け過ぎを抑止するために、天板部１２ａは、その外面側で、ネジ６６を通過させる貫通孔の近傍に、凸部６２を形成していてもよい。
【００３１】
次に、照明器具１０の作用について説明する。
【００３２】
まず、照明器具１０の寸法を、図１及び図２を用いて例示する。筐体１２のＸ方向の長さに相当する、照明器具１０のＸ方向の長さを、全長Ｌと規定する。筐体１２の天板部１２ａから第１パネルの頂点部までのＺ方向の長さを、高さＨと規定する。特に、図２に示す照明器具１０の使用時の状態、すなわち、筐体１２に対して所望の位置にパネルユニット１４が取り付けられている状態での高さＨを、Ｈ１とする。また、第１側板部１２ｂと第２側板部１２ｃとの間の長さである筐体１２の幅を、Ｗとする。
【００３３】
従来、例えば駅のホームでは、１１９８ｍｍ長の蛍光灯を直列状に２本配置する照明器具が用いられていた。これに合わせて、その後、当該照明器具の全体寸法を維持した状態で、２本の直管型ＬＥＤランプが用いられるようになった。このような経緯から、従来のライン形の照明器具では、全長がおおよそ２５００ｍｍである場合が多い。ここで、直列状に２本の光源を配置する場合には、照明器具の中間部において、それぞれの光源の端部を保持ための中間枠が存在する。しかし、中間枠は、透光パネル又は光源保持部を外側から支える部材であるため、照明器具の中間部で照明光が遮られることになり、また、外観上も目立つため、好ましいものではない。
【００３４】
これに対して、本実施形態に係る照明器具１０では、複数の光源２０を実装した実装部２２を含め、光源ユニットが一体であるため、中間枠を必要としない。しかし、中間枠を用いないまま、なんら対策を取らなければ、全長Ｌの長さによっては、パネルユニット１４には、中間部Ｃにおいて最大となる垂れが生じるおそれがある。
【００３５】
図５は、図２に示すＩＩ−ＩＩ断面図に対応し、パネル取り付けユニットにおいて、第２取り付け金具４０にボルト５０を接触させていない初期状態を示す図である。図５に示すように、パネル取り付けユニットを作用させていない状態とは、すなわち、従来の照明器具において、中間枠を用いていない状態に類似する。ここで、例えば、上記のような従来の経緯に準拠すると、照明器具１０の全長Ｌがおおよそ２５００ｍｍであり、幅Ｗがおおよそ８０ｍｍであると想定する。この場合、パネルユニット１４には、中間部Ｃで垂れが生じ、その垂れ量Ｓ１は、最大で７〜１０ｍｍ程度となると予測される。そこで、本実施形態に係る照明器具１０では、パネル取り付けユニットを用いることで、このような垂れを抑止する。
【００３６】
まず、照明器具１０の各種寸法としては、上記の例示を引き続き参照し、全長Ｌ＝２５００ｍｍ、幅Ｗ＝８０ｍｍ、そして、図２に示す使用状態における高さＨ１＝８０ｍｍと想定する。この場合、パネル取り付けユニットに含まれる第１取り付け金具３０及び第２取り付け金具４０は、照明器具１０の各種寸法に見合う寸法に適宜設定される。また、この場合、ボルト５０としては、Ｍ５×６０の一般的なボルトを採用し得る。
【００３７】
パネル取り付けユニットによる取り付け調整の初期段階として、筐体１２に対して単にパネルユニット１４を取り付けただけでは、図５を用いて説明したとおり、照明器具１０の中間部には、垂れ量Ｓ１の垂れが生じる。このとき、中間部Ｃにおける照明器具１０の高さＨは、Ｈ３（Ｈ３＞Ｈ１）である。この状態から、作業者は、ボルト５０を一方の方向に回転させることで、ボルト５０をＹ方向プラス側、すなわち筐体１２の内側に向かって進入させていく。
【００３８】
図６は、図２に示すＩＩ−ＩＩ断面図に対応し、パネル取り付けユニットにおいて、第２取り付け金具４０にボルト５０を接触させ始めた調整状態を示す図である。作業者がボルト５０を回転し続けると、ボルト５０は、第２取り付け金具４０の第２貫通孔４２ａを通過した後、ボルト５０の先端部５０ａが、第２取り付け金具４０の第３板部４６が有する傾斜面４６ａに当接する。傾斜面４６ａは、第１板部４２の主平面に対して角度θで傾いている。ボルト５０は、図中の白抜きの矢印で示すように、第１板部４２の主平面に対しておおよそ垂直となる方向から進行してくる。そして、傾斜面４６ａが先端部５０ａで押されると、第３板部４６は、先端部５０ａに接触しながら滑り、図中の黒塗りの矢印で示すように、全体としてＺ方向プラス側へ移動する。結果として、第３板部４６を含む第２取り付け金具４０に固定されているパネルユニット１４全体が、Ｚ方向プラス側にある筐体１２に向かって引き上げられる。このようにパネルユニット１４全体が引き上げられたことで、照明器具１０の中間部に発生している垂れ量は、Ｓ２（Ｓ２＜Ｓ１）まで減少する。このとき、中間部Ｃにおける照明器具１０の高さＨは、Ｈ２（Ｈ３＞Ｈ２＞Ｈ１）である。
【００３９】
そして、作業者は、さらにボルト５０を回転し続けることで、図２に示すような照明器具１０の使用状態、すなわち、筐体１２に対してパネルユニット１４が垂れ量なく取り付けられる状態まで、パネルユニット１４の位置を調整することができる。
【００４０】
このように作用するパネル取り付けユニットは、さらに、以下のような構成を有することが望ましい。例えば、ボルト５０は、第１貫通孔３２ａと第２貫通孔４２ａとの間に位置する部分に、ボルト抜け止め５２を取り付けていることが望ましい。これにより、作業者が作業を誤ってボルト５０を照明器具１０から外して落下させることを抑止することができる。
【００４１】
また、ボルト５０の先端部５０ａが第２取り付け金具４０の第３板部４６の傾斜面４６ａを押し付ける力は、パネルユニット１４を押し上げることができる程度に強く、また、ボルト５０には、傾斜面４６ａの角度に起因する方向の力が反作用として働く。そこで、第１取り付け金具３０は、第１貫通孔３２ａの開口に合わせて、孔補強部３６を備えることが望ましい。これにより、第１貫通孔３２ａがボルト５０から上記のような力を受けても耐えられるよう、予め補強することができる。
【００４２】
さらに、作業者がパネルユニット１４を取り付ける際に、ボルト５０を必要以上に回転させ過ぎると、筐体１２の第１側板部１２ｂ〜第４側板部１２ｅがパネルユニット１４に押されて歪むことが考えられる。また、同様にボルト５０を回転させ過ぎると、第２取り付け金具４０の第１板部４２の先端部４２ｂが筐体１２の天板部１２ａの内面に当たって傷をつけることも考えられる。そこで、筐体１２は、天板部１２ａの内面で、第１板部４２の先端部４２ｂに対向する位置に、弾性体６０を備えることが望ましい。これにより、上記のような不具合を抑止することができる。また、弾性体６０と第１板部４２の先端部４２ｂとが当接したときに、筐体１２に対するパネルユニット１４の位置が使用状態となるように、弾性体６０の高さ方向であるＺ方向の寸法を予め設定しておくことで、作業者による調整の容易化にも寄与する。
【００４３】
次に、照明器具１０による効果について説明する。
【００４４】
本実施形態に係る照明器具１０は、天井１００に固定される筐体１２と、筐体１２に保持される光源２０とを備える。照明器具１０は、筐体１２の延設方向の中間部Ｃに設けられ、第１貫通孔３２ａを有する第１取り付け金具３０と、光源２０の背部に設けられ、第２貫通孔４２ａを有する第２取り付け金具４０とを備える。照明器具１０は、第１貫通孔３２ａと係合し、かつ、第２貫通孔４２ａを通過するボルト５０を備える。また、第２取り付け金具４０は、ボルト５０と当接し、ボルト５０の進行により受ける力を、第２取り付け金具４０を筐体１２に向かう方向に移動させる力に変換する板部４６を有する。
【００４５】
本実施形態に係る照明器具１０によれば、第１に、例えば、筐体１２が１つの方向に長いライン状の照明器具である場合に、光源２０を含むパネルユニット１４の垂れを抑止することができる。このとき、第１取り付け金具３０、第２取り付け金具４０及びボルト５０を含むパネル取り付けユニットの構成によれば、作業者は、ボルト５０を回転させることだけで、筐体１２に対するパネルユニット１４の位置、すなわち垂れ量を容易に調整することができる。
【００４６】
第２に、上記パネル取り付けユニットの構成によれば、従来のライン状の照明装置に用いられていたような中間枠を必要とせず、また、筐体１２の外側には、ボルト５０の頭部及びその近傍部分だけが露出する。したがって、中間部Ｃ近傍における光照射を遮ることがないため、照明器具１０の性能面で有利となる。また、中間部Ｃ近傍において目立つ部材が少なくなるため、照明器具１０の外観上も有利となる。
【００４７】
また、本実施形態に係る照明器具１０では、ボルト５０は、第１貫通孔３２ａと第２貫通孔４２ａとの間に位置する部分に、ボルト抜け止め５２を有する。
【００４８】
本実施形態に係る照明器具１０によれば、上記のとおり、ボルト５０の脱落を抑止することができる。また、ボルト５０の当該部分にボルト抜け止め５２を取り付けることができるのは、第１取り付け金具３０と第２取り付け金具４０とが、上記説明したような位置関係に従って、照明器具１０に設置されているからに他ならない。
【００４９】
なお、上記の説明では、第１取り付け金具３０又は第２取り付け金具４０の形状を図３又は図４を用いて例示したが、本開示は、これらのものに限定されるものではない。例えば、第１取り付け金具３０は、可能な限り簡略化された形状とするために、筐体１２の天板部１２ａに固定されることを想定し、第２板部３４を有するような形状となっている。したがって、例えば、第１取り付け金具３０を、筐体１２の第１側板部１２ｂに固定されることを想定した形状とすることも考えられる。
【００５０】
また、本実施形態のＹ方向に相当する照明器具１０の幅方向に関して、第１取り付け金具３０の第１板部３２の位置、又は、第２取り付け金具４０の第１板部４２の位置についても、上記の例示から、若干のずれは許容される。例えば、第２取り付け金具４０の第１板部４２の位置は、上記例示では、第１側板部１２ｂと第２側板部１２ｃとの間の中間となるものとした。これは、第２取り付け金具４０がパネルユニット１４を持ち上げる機能を有するため、パネルユニット１４の重量バランスを考慮したためである。したがって、筐体１２に対してパネルユニット１４を所望の位置に取り付けられるようにパネルユニット１４をバランスよく持ち上げることが可能であるならば、第１板部４２の位置は、第１側板部１２ｂと第２側板部１２ｃとの間の中間から若干ずれていてもよい。
【００５１】
以上、好ましい実施形態について説明したが、本実施形態は、これ限定されず、その要旨の範囲内で種々の変形及び変更が可能である。
【符号の説明】
【００５２】
１０    照明器具
１２    筐体
２０    光源
３０    第１取り付け金具
３２ａ  第１貫通孔
４０    第２取り付け金具
４２ａ  第２貫通孔
４６    第３板部（板部）
５０    ボルト
【図１】
2019016532.tif 000003
【図２】
2019016532.tif 000004
【図３】
2019016532.tif 000005
【図４】
2019016532.tif 000006
【図５】
2019016532.tif 000007
【図６】
2019016532.tif 000008